(57)【要約】【課題】ＩＥＥＥ１３９４バスを用いて表示装置に正しくメッセージが表示されるようにすることを目的とする。【解決手段】この目的を達成するために本発明は、デジタル放送を受信する受信アダプタ１５と、この受信アダプタ１５から出力されるデジタル信号に基づき映像を表示する映像表示装置１６とがＩＥＥＥ１３９４バス８を介してＡＶ／Ｃコマンドをやり取りすることにより前記受信アダプタ１５が放送事業体から受信した自動表示メッセージおよび／またはメールを前記映像表示装置１６に表示するものである。【選択図】  図１
2005020358.tif 000002
【特許請求の範囲】
【請求項１】
デジタル放送を受信する受信アダプタと、この受信アダプタから出力されるデジタル信号に基づき映像を表示する映像表示装置とがＩＥＥＥ１３９４バスを介してＡＶ／Ｃコマンドをやり取りすることにより前記受信アダプタが受信した自動表示メッセージおよび／または電子メールを前記映像表示装置に表示することを特徴とするデジタル放送視聴システム。
【請求項２】
デジタル放送を受信する受信アダプタと、この受信アダプタから出力される信号に基づき映像を表示する映像表示装置と、前記受信アダプタと前記映像表示装置とを接続するＩＥＥＥ１３９４バスと、からなるデジタル放送視聴システムにおいて前記受信アダプタに実行させるための、デジタル放送視聴システムの制御プログラムであって、
前記受信アダプタが放送事業体から自動表示メッセージを受信した場合前記映像表示装置に通知することを前記受信アダプタに要求する第１信号を前記映像表示装置から受信する第１ステップと、
前記受信アダプタが前記第１信号を受信したことを示す第２信号を前記映像表示装置に送信する第２ステップと、
前記受信アダプタが、番組選局を要求する第３信号を前記映像表示装置から受信する第３ステップと、
前記受信アダプタが前記第３信号を受信したことを示す第４信号を前記映像表示装置に送信するとともに選局された番組が有料放送事業体により提供される番組であるかどうかを調べる第４ステップと、
前記選局された番組が前記有料放送事業体により提供される番組でない場合は終了し、前記選局された番組が前記有料放送事業体により提供される番組である場合この有料放送事業体に対応する自動表示メッセージをＢ−ＣＡＳ  ＩＣカードおよびＥＭＭ共通メッセージを用いて作成しディスクリプタ形式で保持する第５ステップと、
前記受信アダプタが自動表示メッセージを作成したことを通知する第５信号を前記映像表示装置に送信する第６ステップと、
前記第５信号を受信した前記映像表示装置から前記自動表示メッセージを読むために必要な第６信号を前記受信アダプタが受信する第７ステップと、
前記受信アダプタが前記第６信号を受信したことを示す第７信号を前記映像表示装置に送信する第８ステップと、から少なくともなり、前記第１〜第５信号はＡＶ／Ｃコマンドのベンダーユニークコマンドを用い、第６、第７信号はＡＶ／Ｃディスクリプタコマンドを用いたことを特徴とする、デジタル放送視聴システムの制御プログラム。
【請求項３】
第４ステップにおいて、受信アダプタが番組選局を要求する信号を映像表示装置から受信したとき前記映像表示装置に自動表示メッセージが表示されていた場合自動表示メッセージディスクリプタに記載された前記自動表示メッセージを消去した後選局された番組が有料放送事業体により提供される番組であるかどうかを調べる請求項２に記載の、デジタル放送視聴システムの制御プログラム。
【請求項４】
自動表示メッセージディスクリプタのデータ構造として、先頭部にディスクリプタ全体のサイズ情報が格納され、先頭部以降に、選局された番組で表示すべき自動表示メッセージ数の情報、前記自動表示メッセージの表示制御情報および前記自動表示メッセージ本体が格納されたデータ構造であることを特徴とした請求項２に記載の、デジタル放送視聴システムの制御プログラム。
【請求項５】
デジタル放送を受信する受信アダプタと、この受信アダプタから出力される信号に基づき映像を表示する映像表示装置と、前記受信アダプタと前記映像表示装置とを接続するＩＥＥＥ１３９４バスと、からなるデジタル放送視聴システムにおいて前記受信アダプタに実行させるための、デジタル放送視聴システムの制御プログラムであって、前記受信アダプタがメールを受信した場合前記映像表示装置に通知することを前記受信アダプタに要求する第１信号を前記映像表示装置から受信する第１ステップと、
前記受信アダプタが前記第１信号を受信したことを示す第２信号を前記映像表示装置に送信する第２ステップと、
前記受信アダプタがＢ−ＣＡＳ  ＩＣカードのＩＤ番号に対応する新たなメールを受信した場合前記メールをディスクリプタ形式で保持する第３ステップと、
前記受信アダプタが前記メールを作成したことを通知する第３信号を前記映像表示装置に送信する第４ステップと、
前記第３信号を受信した前記映像表示装置から前記メールを読むために必要な第４信号を前記受信アダプタが受信する第５ステップと、
前記受信アダプタが前記第４信号を受信したことを示す第５信号を前記映像表示装置に送信する第６ステップと、から少なくともなり、前記第１〜第３信号はＡＶ／Ｃコマンドのベンダーユニークコマンドを用い、前記第４、第５信号はＡＶ／Ｃディスクリプタコマンドを用いたことを特徴とする、デジタル放送視聴システムの制御プログラム。
【請求項６】
第３ステップにおいて、新たなメールを受信することにより受信アダプタが格納できる最大メール数を越える場合受信アダプタに格納されているメールの受信日時の一番古いものを削除した後前記新たなメールをメールディスクリプタとして保持する請求項５に記載の、デジタル放送視聴システムの制御プログラム。
【請求項７】
メールディスクリプタのデータ構造として、先頭部にメールディスクリプタ全体のサイズ情報が格納され、次に、格納されているメールの総数の情報が格納され、次に、メールの受信日時情報を少なくとも含む表示制御情報およびメール本体の情報をメールの受信日時の古い順番に格納された構造であることを特徴とした請求項５に記載のデジタル放送視聴システムの制御プログラム。
【請求項８】
請求項２〜７のいずれか一つに記載のプログラムを記録した、コンピュータ読みとり可能な記録媒体。
【請求項９】
デジタルチューナと、このデジタルチューナに接続された復調器と、この復調器に接続されたＭＰＥＧ処理機能部と、このＭＰＥＧ処理機能部に接続されたＩＥＥＥ１３９４インタフェースと、前記復調器、前記ＭＰＥＧ処理機能部および前記ＩＥＥＥ１３９４インタフェースを制御するマイコンと、このマイコンに接続されたＢ−ＣＡＳインタフェースと、を備え、前記マイコンのメモリ部に請求項２〜７のいずれか一つに記載のプログラムが格納された、デジタル放送の受信アダプタ。
【請求項１０】
地上波デジタル用チューナと、この地上波デジタル用チューナに接続された地上波デジタル用復調器と、ＢＳデジタル用チューナと、このＢＳデジタル用チューナに接続されたＢＳデジタル用復調器と、前記地上波デジタル用復調器および前記ＢＳデジタル用復調器に接続されたＭＰＥＧ多重化分離部と、このＭＰＥＧ多重化分離部に接続されたＩＥＥＥ１３９４インタフェースと、前記地上波デジタル用復調器、前記ＢＳデジタル用復調器、前記ＭＰＥＧ多重化分離部および前記ＩＥＥＥ１３９４インタフェースを制御するマイコンと、このマイコンに接続されたＢ−ＣＡＳインタフェースと、を備え、前記マイコンのメモリ部に請求項２〜７のいずれか一つに記載のプログラムが格納された、デジタル放送の受信アダプタ。
【発明の詳細な説明】
【０００１】
【発明の属する技術分野】
本発明は、デジタル放送信号を受信するデジタル放送視聴システムに関するものである。
【０００２】
【従来の技術】
従来、ＢＳ／地上波デジタル放送視聴システムとしては、例えば、セットトップボックス等のＢＳ／地上波デジタル放送受信装置と表示装置とからなり、この受信装置はＢＳ／地上波アンテナから入力されたデジタル放送信号を復調処理等のフロントエンド処理し、次にＭＰＥＧ  ＴＳ多重化分離、ＭＰＥＧデコード等のＭＰＥＧ処理の後、Ｄ／Ａコンバータによる変換処理を行う。これにより前記デジタル放送信号はアナログ信号に変換され、このアナログ信号を前記表示装置に対して出力するという構成となっていた。ＢＳ／地上波デジタル放送では、従来のアナログ放送波で行われていた映像および音声の伝送に加え、放送事業者からのメッセージを伝送することができる。このメッセージは、視聴者全員に同一メッセージを伝送する場合もあれば視聴者個別に伝送するメッセージもあり、このメッセージは、映像および音声信号と同様に前記処理手順によりデジタル信号からアナログ信号に変換されて前記表示装置に表示されていた。
【０００３】
なお、この出願の発明に関連する先行技術文献情報としては、例えば、特許文献１が知られている。
【０００４】
【特許文献１】
特開２００１−３４６１８０号公報
【０００５】
【発明が解決しようとする課題】
ところで、データ伝送の高速化、大容量化を実現するためにＩＥＥＥ１３９４バスというデジタル通信線がある。このＩＥＥＥ１３９４バスを用いて放送受信装置と表示装置とを接続する構成とすることにより放送事業者から伝送される映像データ、音声データをデジタル信号として表示装置に伝送することができ、劣化の少ない映像、音声を楽しむことができる。
【０００６】
一方、放送事業者から伝送されるメッセージは、ＩＥＥＥ１３９４バスを用いて伝送するための規格が決められておらず、そのため、前記構成において放送事業者から伝送されるメッセージを表示装置に正しく表示することができないという問題があった。
【０００７】
そこで本発明は、ＩＥＥＥ１３９４バスを用いて表示装置に正しくメッセージが表示されるようにすることを目的とする。
【０００８】
【課題を解決するための手段】
この目的を達成するために請求項１に記載の発明は、特に、ＩＥＥＥ１３９４バスで接続された受信アダプタと映像表示装置とのやり取りをＡＶ／Ｃコマンドで行うものであり、これにより前記受信アダプタが受信した自動表示メッセージおよび／またはメールを前記映像表示装置に正しく表示することができるものである。
【０００９】
すなわち、自動表示メッセージおよび／またはメールを伝送するために必要なコマンドとして、ＩＥＥＥ１３９４規格で規定されたＡＶ／Ｃコマンドを用いたのでＩＥＥＥ１３９４バスを介して受信アダプタから映像表示装置へ自動表示メッセージおよび／またはメールを伝送することができ、その結果、前記映像表示装置に正しく表示することができるという作用効果を奏する。
【００１０】
請求項２に記載の発明は、特に、デジタル放送視聴システムの制御プログラムにおいて、前記第１〜第５信号はＡＶ／Ｃコマンドのベンダーユニークコマンドを用い、第６、第７信号はＡＶ／Ｃディスクリプタコマンドを用いたものであり、これにより、受信アダプタが受信した自動表示メッセージをＩＥＥＥ１３９４バスを介して映像表示装置に正しく表示することができるものである。
【００１１】
請求項３に記載の発明は、特に、第４ステップにおいて、受信アダプタが番組選局を要求する信号を映像表示装置から受信したとき前記映像表示装置に自動表示メッセージが表示されていた場合自動表示メッセージディスクリプタに記載された前記自動表示メッセージを消去するものであり、これにより異なる放送事業体からの自動表示メッセージが同時に表示されてしまうことを防止することができるという作用効果を奏する。
【００１２】
請求項４に記載の発明は、特に、自動表示メッセージディスクリプタのデータ構造として先頭部にディスクリプタ全体のサイズ情報が格納されたものであり、これによりアプリケーションソフトを用いてこのデータを読み込む際のエラーを防止することができるという作用効果を奏する。
【００１３】
請求項５に記載の発明は、特に、デジタル放送視聴システムの制御プログラムにおいて、前記第１〜第３信号はＡＶ／Ｃコマンドのベンダーユニークコマンドを用い、前記第４、第５信号はＡＶ／Ｃディスクリプタコマンドを用いたものであり、これにより、受信アダプタが受信したメールをＩＥＥＥ１３９４バスを介して映像表示装置に正しく表示することができるものである。
【００１４】
請求項６に記載の発明は、特に、第３ステップにおいて、新たなメールを受信することにより受信アダプタが格納できる最大メール数を越える場合受信アダプタに格納されているメールの受信日時の一番古いものを削除した後前記新たなメールをメールディスクリプタとして保持するものであり、これにより予め受信アダプタに最大メール数のメールが格納されていても新たに受信したメールを格納することができるという作用効果を奏する。
【００１５】
請求項７に記載の発明は、特に、メールディスクリプタのデータ構造として先頭部にメールディスクリプタ全体のサイズ情報が格納されたものであり、請求項４と同様の作用効果を奏する。
【００１６】
請求項８に記載の発明は、特に、請求項２〜７のいずれか一つに記載のプログラムを記録した、コンピュータ読みとり可能な記録媒体であり、これにより可搬性を有し、同様の構成のシステムに適用することにより請求項２〜７と同様の作用効果を奏する。
【００１７】
請求項９に記載の発明は、特に、マイコンのメモリ部に請求項２〜７のいずれか一つに記載のプログラムが格納されたものであり、請求項１の作用効果を補完するものである。
【００１８】
請求項１０に記載の発明は、特に、地上波デジタル用チューナとＢＳデジタル用チューナを有する受信アダプタのマイコンのメモリ部に請求項２〜７のいずれか一つに記載のプログラムが格納されたものであり、請求項１の作用効果を補完するものである。
【００１９】
【発明の実施の形態】
以下、本発明のデジタル放送視聴システムの制御プログラム、この制御プログラムを用いた受信アダプタ、この制御プログラムを記録した記録媒体およびデジタル放送視聴システムについて実施の形態および図面を用いて説明する。
【００２０】
（実施の形態１）
本実施の形態１および図１〜図４を用いて、特に請求項１〜４、９に記載の発明について説明する。
【００２１】
図１はＢＳデジタル放送の視聴システムの構成図であり、ＢＳデジタル放送受信アダプタ１５（以下受信アダプタ１５と記す）と、映像表示装置１６と、これらを接続するＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４バス８よりなる。
【００２２】
まず、前記受信アダプタ１５の構成について説明する。１はＢＳデジタル用チューナであり、アンテナ（図示せず）により受信されたＢＳデジタル放送信号はＢＳデジタル用チューナ１に入力され、そこで同調した放送信号が取り出される。続くＢＳデジタル用復調器２にて復調処理やエラー補正が行われ、ＭＰＥＧ  ＴＳ（Ｔｒａｎｓｐｏｒｔ  Ｓｔｒｅａｍ）データが取り出され、続く第１ＭＰＥＧ処理機能部３へ送られる。
【００２３】
この第１ＭＰＥＧ処理機能部３では、前記ＭＰＥＧ  ＴＳデータ（フルＴＳ形式と呼ばれるフォーマットのデータ）をＩＥＥＥ１３９４バス８に出力するためのフォーマットのデータ（パーシャルＴＳ形式と呼ばれるフォーマットのデータ）に変換する。自動表示メッセージおよび／またはメールの処理に必要なセクションデータはこの第１ＭＰＥＧ処理機能部３から取得する。
【００２４】
５はＢ−ＣＡＳインタフェースであり、自動表示メッセージおよび／またはメールのＢ−ＣＡＳ処理を行うのに必要なＢ−ＣＡＳ  ＩＣカード６を装着する。４はＩＥＥＥ１３９４インタフェースであり、ＩＥＥＥ１３９４バス８を介して接続された映像表示装置１６に前記ＭＰＥＧ  ＴＳデータ（パーシャルＴＳ形式）のデータを出力する。
【００２５】
７はマイコンを示し、中央演算処理部（図示せず）と、メモリー部（図示せず）とから少なくともなっている。ここでメモリー部としてＲＡＭ（ＲａｎｄｏｍＡｃｃｅｓｓ  Ｍｅｍｏｒｙ）およびＲＯＭ（Ｒｅａｄ  Ｏｎｌｙ  Ｍｅｍｏｒｙ）を用いており、以下に述べる、デジタル放送視聴システムの制御プログラムはこのメモリー部に格納されている。
【００２６】
前記マイコン７は、前記ＢＳデジタル用復調器２、前記第１ＭＰＥＧ処理機能部３、前記ＩＥＥＥ１３９４インタフェース４、前記Ｂ−ＣＡＳインタフェース５に接続され、それぞれを制御している。
【００２７】
次に映像表示装置１６の構成について説明する。
【００２８】
９は映像表示装置１６のＩＥＥＥ１３９４インタフェースであり、１０は第２ＭＰＥＧ処理機能部で、前記ＩＥＥＥ１３９４インタフェース９からの前記ＭＰＥＧ  ＴＳ（パーシャルＴＳ形式）データ信号を映像、音声、データの各信号に分離する。１１は映像、音声、データそれぞれに対応したデコーダからなるデコーダ機能ブロックであり、このデコーダ機能ブロック１１でデコードされた各信号を各出力部からなる出力ブロック１２で映像表示装置１６のモニター（図示せず）に表示する。
【００２９】
前記ＩＥＥＥ１３９４バス８はＭＰＥＧ  ＴＳ（パーシャルＴＳ形式）信号だけでなく各種データおよびコマンドの送受信も行うことができる。ＩＥＥＥ１３９４規格には機器制御を行うＦＣＰ（Ｆａｎｃｔｉｏｎ  Ｃｏｎｔｒｏｌ  Ｐｒｏｔｏｃｏｌ）が規定されており、その中には特に、ＡＶ／Ｃ（Ａｕｄｉｏ  Ｖｉｓｕａｌ  Ｃｏｎｔｒｏｌ）プロトコルで規定されているコマンドが準備されている。したがって、このＡＶ／Ｃコマンドを用いて受信アダプタ１５と映像表示装置１６との間で以下に述べる制御を実行させることができる。その視聴システムの制御プログラムをフロー図を用いて説明する。
【００３０】
図２は自動表示メッセージの制御フロー図を示している。
【００３１】
まず第１ステップＳ１で、受信アダプタ１５が自動表示メッセージを受信した場合映像表示装置１６に通知することを要求する第１信号（Ｍｅｓｓａｇｅ  Ｓｔａｔｕｓコマンド）を映像表示装置１６から受信する。このＭｅｓｓａｇｅ  ＳｔａｔｕｓコマンドはＩＥＥＥ１３９４規格で準備されているＮｏｔｉｆｙコマンドと呼ばれる形式のコマンドである。このＮｏｔｉｆｙコマンドは、ＩＥＥＥ１３９４バス８に接続された相手機器（ここでは映像表示装置１６）にあらかじめ伝送しておけば相手機器の状態が変化したとき（例えば別のチャンネルに変えた等）、応答信号すなわち第５信号（後述するＭｅｓｓａｇｅ  ＳｔａｔｕｓＣｈａｎｇｅｄレスポンス）を返すように相手機器に命令するコマンドである。したがって、チャンネルを切り替えたときに一度このＭｅｓｓａｇｅ  Ｓｔａｔｕｓコマンドを受信アダプタ１５に送信しておけばよい。これにより受信アダプタ１５が自動表示メッセージを受信した場合に映像表示装置１６に応答信号を返送するものである。
【００３２】
次に第２ステップＳ２で、前記受信アダプタ１５が前記第１信号（Ｍｅｓｓａｇｅ  Ｓｔａｔｕｓコマンド）を受理したことを示す第２信号（Ｉｎｔｅｒｉｍレスポンス）を映像表示装置１６に送信する。
【００３３】
次に第３ステップＳ３で、前記受信アダプタ１５が番組選局を要求する第３信号（Ｄｉｒｅｃｔ  Ｓｅｌｅｃｔ  Ｉｎｆｏｒｍａｔｉｏｎ  Ｔｙｐｅコマンド）を前記映像表示装置１６から受信する。
【００３４】
次に第４ステップＳ４で、前記受信アダプタ１５が前記映像表示装置１６に第４信号（Ａｃｃｅｐｔｅｄレスポンス）を送信するとともに選局された番組が有料放送事業体により提供される番組であるかどうかを調べる。この調べる方法としては放送事業体から送信される放送信号中に含まれるＣＡサービス記述子を検索してこれを参照することにより行われる。
【００３５】
ここで、受信アダプタ１５が番組選局を要求する第３信号（Ｄｉｒｅｃｔ  Ｓｅｌｅｃｔ  Ｉｎｆｏｒｍａｔｉｏｎ  Ｔｙｐｅコマンド）を映像表示装置１６から受信したとき前記映像表示装置１６に自動表示メッセージが表示されている場合自動表示メッセージディスクリプタに記述されている前記自動表示メッセージを消去した後選局された番組が有料放送事業体により提供される番組であるかどうかを調べるという手順を行うようにする。このようにすることで異なる放送事業体からの自動表示メッセージが同時に表示されてしまうことを防止することができる。
【００３６】
次に第５ステップＳ５で、前記選局された番組が前記有料放送事業体により提供される番組でない場合は終了し、選局された番組が前記有料放送事業体により提供される番組である場合この有料放送事業体に対応する自動表示メッセージをＢ−ＣＡＳ  ＩＣカード９およびＥＭＭ共通メッセージを用いて作成し自動表示メッセージディスクリプタとして保持する。このＢ−ＣＡＳ  ＩＣカード９にはＩＤ番号が付与されており、このＩＤ番号で視聴者を識別している。一方、放送事業体から送信されてくる放送信号中には視聴者への様々なメッセージが記述されたメッセージテーブルが含まれており、そのメッセージテーブルから前記ＩＤ番号に対応するメッセージを抽出し自動表示メッセージを作成する。この自動表示メッセージはＡＶ／Ｃコマンド仕様で定義されるディスクリプタ形式で作成され受信アダプタ１５に保持される。
【００３７】
次に第６ステップＳ６で、前記受信アダプタ１５が自動表示メッセージを作成したことを通知する第５信号（Ｍｅｓｓａｇｅ  Ｓｔａｔｕｓ  Ｃｈａｎｇｅｄレスポンス）を前記映像表示装置１６に送信する。
【００３８】
次に第７ステップＳ７で、前記第５信号（Ｍｅｓｓａｇｅ  Ｓｔａｔｕｓ  Ｃｈａｎｇｅｄレスポンス）を受信した前記映像表示装置１６から前記自動表示メッセージを読むために必要な第６信号（Ｏｐｅｎ  Ｄｅｓｃｒｉｐｔｏｒコマンド）を前記受信アダプタ１５が受信する。
【００３９】
次に第８ステップＳ８で、前記第６信号（Ｏｐｅｎ  Ｄｅｓｃｒｉｐｔｏｒコマンド）を受信したことを示す第７信号（Ａｃｃｅｐｔｅｄレスポンス）を前記映像表示装置１６に送信する。
【００４０】
次に第９ステップＳ９で、前記第７信号（Ａｃｃｅｐｔｅｄレスポンス）を受信した前記映像表示装置１６から前記自動表示メッセージを読むために必要な第８信号（Ｒｅａｄ  Ｄｅｓｃｒｉｐｔｏｒコマンド）を前記受信アダプタ１５が受信する。
【００４１】
次に第１０ステップＳ１０で、前記第８信号（Ｒｅａｄ  Ｄｅｓｃｒｉｐｔｏｒコマンド）を受信したことを示す第９信号（Ａｃｃｅｐｔｅｄレスポンス）を前記映像表示装置１６に送信する。
【００４２】
以上のステップＳ１〜Ｓ１０により放送事業体からのメッセージを映像表示装置１６に正しく表示させることができる。
【００４３】
前記第１〜第５信号はＡＶ／Ｃコマンドのベンダーユニークコマンドを用いたもので、前記第６〜第９信号はＡＶ／Ｃディスクリプタコマンドを用いたものである。このベンダーユニークコマンドとは自由に定義することが可能なコマンド群であり、前記ＡＶ／Ｃコマンド群にもこのベンダーユニークコマンドが準備されている。
【００４４】
本発明の特徴の一つは、このベンダーユニークコマンドを用い本発明者が新たにコマンドを定義した点であり、これによりＩＥＥＥ１３９４バス８を介してデジタル信号を伝送する場合自動表示メッセージを正しく映像表示装置１６に表示させることができるものである。
【００４５】
一方、前記ＡＶ／Ｃディスクリプタコマンドとは一般的に定義されているディスクリプタ制御用のコマンドである。
【００４６】
前記受信アダプタ１５に保持するディスクリプタ形式の自動表示メッセージのデータ構造としては図３に示す構造となっている。すなわち、先頭部にディスクリプタ全体のサイズ情報が格納され、先頭部以降に、映像表示装置１６が前記自動表示メッセージディスクリプタ作成時に選局している番組で表示すべき自動表示メッセージ数、表示制御情報および自動表示メッセージ本体が格納されたデータ構造である。複数の自動表示メッセージが格納されている場合メッセージ数（図３の構造の欄のｎｕｍｂｅｒ  ｏｆ  ｍｅｓｓａｇｅｓ）の分だけｆｏｒでループする構造になっている。
【００４７】
先頭部にサイズ情報を格納する理由は、アプリケーションソフトを用いてこのデータを読み込む際先頭部にこの情報がないとデータサイズがわからずエラーが発生してしまうのでこれを防止するためである。また、自動表示メッセージがない場合のデータ構造としては、図４に示すように、先頭部にディスクリプタ全体のサイズ情報が格納されただけの構造となる。
【００４８】
また、受信アダプタ１５内のチューナとしてＢＳデジタル用チューナ１を用いているが、代わりに地上波デジタル用チューナを用いてもよい。この場合ＢＳデジタル用復調器２の代わりに地上波デジタル用復調器を用いることにより地上波デジタル放送においても同様の作用効果を得ることができるものである。
【００４９】
（実施の形態２）
本実施の形態２および図５、図６を用いて特に、請求項５〜７について説明する。
【００５０】
図５はメールの制御フロー図を示している。本実施の形態２における視聴システムの構成としては実施の形態１と同様である。
【００５１】
まず第１ステップＳ１１で、受信アダプタ１５がメール（例えば有料放送の視聴期限に関するメール）を受信した場合映像表示装置１６に通知することを前記受信アダプタに要求する第１信号（Ｍａｉｌ  Ｓｔａｔｕｓコマンド）を前記映像表示装置１６から受信する。このＭａｉｌ  Ｓｔａｔｕｓコマンドは前記Ｍｅｓｓａｇｅ  Ｓｔａｔｕｓコマンドと同様、Ｎｏｔｉｆｙコマンドと呼ばれる形式のコマンドである。
【００５２】
次に第２ステップＳ１２で、前記受信アダプタ１５が前記第１信号（ＭａｉｌＳｔａｔｕｓコマンド）を受信したことを示す第２信号（Ｉｎｔｅｒｉｍレスポンス）を前記映像表示装置１６に送信する。
【００５３】
次に第３ステップＳ１３で、前記受信アダプタ１５がＢ−ＣＡＳ  ＩＣカード６のＩＤ番号に対応する新たなメールを受信した場合前記メールをメールディスクリプタとして保持する。このメールの受信は、ＥＭＭ個別メッセージを検索し、前記Ｂ−ＣＡＳ  ＩＣカード６のＩＤ番号に対応するメールを受信することで行われる。ここで、新たなメールを受信することにより受信アダプタ１５が格納できる最大メール数を越える場合受信アダプタ１５に格納されているメールの受信日時の一番古いものを削除した後前記新たなメールをメールディスクリプタとして保持する。
【００５４】
次に第４ステップＳ１４で、前記受信アダプタ１５が前記メールを作成したことを通知する第３信号（Ｍａｉｌ  Ｓｔａｔｕｓ  Ｃｈａｎｇｅｄレスポンス）を前記映像表示装置１６に送信する。
【００５５】
次に第５ステップＳ１５で、前記メールを作成したことを通知する第３信号（Ｍａｉｌ  Ｓｔａｔｕｓ  Ｃｈａｎｇｅｄレスポンス）を受信した前記映像表示装置１６から前記メールを読むために必要な第４信号（Ｏｐｅｎ  Ｄｅｓｃｒｉｐｔｏｒコマンド）を前記受信アダプタ１５が受信する。
【００５６】
次に第６ステップＳ１６で、前記受信アダプタ１５が前記メールを読むために必要な第４信号（Ｏｐｅｎ  Ｄｅｓｃｒｉｐｔｏｒコマンド）を受信したことを示す第５信号（Ａｃｃｅｐｔｅｄレスポンス）を前記映像表示装置１６に送信する。
【００５７】
次に第７ステップＳ１７で、前記第５信号（Ａｃｃｅｐｔｅｄレスポンス）を受信した前記映像表示装置１６から前記メールを読むために必要な第６信号（Ｒｅａｄ  Ｄｅｓｃｒｉｐｔｏｒコマンド）を前記受信アダプタ１５が受信する。
【００５８】
次に第８ステップＳ１８で、前記第６信号（Ｒｅａｄ  Ｄｅｓｃｒｉｐｔｏｒコマンド）を受信したことを示す第７信号（Ａｃｃｅｐｔｅｄレスポンス）を前記映像表示装置１６に送信する。
【００５９】
以上の第１〜第８ステップＳ１１〜Ｓ１８により放送事業体からのメールを映像表示装置１６に正しく表示させることができる。第１〜第３信号はＡＶ／Ｃコマンドのベンダーユニークコマンドを用い、第４〜第７信号はＡＶ／Ｃディスクリプタコマンドを用いたものである。
【００６０】
前記受信アダプタ１５に保持するディスクリプタ形式のメールのデータ構造としては図６に示す構造となっている。すなわち、先頭部にメールディスクリプタ全体のサイズ情報が格納され、次に、格納されているメールの総数の情報が格納され、次にメールの受信日時情報等を含むメール表示制御情報、メール本体を含むメール情報をメールの受信日時の古い順番に格納された構造である。複数のメールが格納されている場合メール数（図６の構造の欄のｎｕｍｂｅｒ  ｏｆ  ｍａｉｌｓ）の分だけｆｏｒでループする構造になっている。
【００６１】
先頭部にサイズ情報を格納する理由は、アプリケーションソフトを用いてこのデータを読み込む際に先頭部にこの情報がないとデータサイズがわからずエラーが発生してしまうためこれを防止するためである。
【００６２】
また、新たなメールをメールディスクリプタとして保持する場合それによって変化するデータ項目、メールディスクリプタ全体のサイズ情報、格納されているメールの総数等のデータはそれに伴い更新される。
【００６３】
（実施の形態３）
本実施の形態３および図７を用いて特に、請求項８，１０について説明する。なお、実施の形態１および実施の形態２と同一部分には同一番号を付して説明を省略する。
【００６４】
図７は本実施の形態３におけるＢＳ・地上波デジタル放送の視聴システムの構成図であり、大きくＢＳ・地上波デジタル放送受信アダプタ２７（以下受信アダプタと記す）と、映像表示装置１６と、これを接続するＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４バス８よりなる。
【００６５】
実施の形態１と異なる点は受信アダプタ２７の構成において、ＢＳデジタル用チューナ１およびＢＳデジタル用復調器２と、地上波デジタル用チューナ２０および地上波デジタル用復調器２１とを有する点であり、前記ＢＳデジタル用復調器２と前記地上波デジタル用復調器２１はともに第１ＭＰＥＧ処理機能部２３に接続される。
【００６６】
また、マイコン２６は、前記地上波デジタル用復調器２１、前記ＢＳデジタル用復調器２、前記第１ＭＰＥＧ処理機能部２３、前記ＩＥＥＥ１３９４インタフェース４、前記Ｂ−ＣＡＳインタフェース２４に接続され、それぞれを制御している。
【００６７】
上記構成以外は実施の形態１，２と同様であり、このような構成のデジタル放送視聴システムにおいても実施の形態１，２と同様の作用効果を有するものである。
【００６８】
以上、実施の形態に示した、デジタル放送視聴システムの制御プログラムはコンピュータ読みとり可能な記録媒体、例えば、フロッピ（登録商標）ディスク、ＣＤ−ＲＯＭ、ハードディスク等に記録することにより可搬性を有し、同様の構成のデジタル放送視聴システムにおいてこの記録媒体を適用することにより本発明の作用効果を得ることができるものである。
【００６９】
【発明の効果】
デジタル放送を受信する受信アダプタと、この受信アダプタから出力されるデジタル信号に基づき映像を表示する映像表示装置とがＩＥＥＥ１３９４バスを介してＡＶ／Ｃコマンドをやり取りすることにより前記受信アダプタが受信した自動表示メッセージおよび／またはメールを前記映像表示装置に表示することを特徴とするデジタル放送視聴システムであり、これにより、前記受信アダプタが受信した自動表示メッセージおよび／またはメールを前記映像表示装置に正しく表示することができるものである。
【００７０】
すなわち、自動表示メッセージおよび／またはメールを伝送するために必要なコマンドとして、ＩＥＥＥ１３９４規格で規定されたＡＶ／Ｃコマンドを用いたのでＩＥＥＥ１３９４バスを介して受信アダプタから映像表示装置ヘ自動表示メッセージおよび／またはメールを伝送することができ、その結果、前記映像表示装置に正しく表示することができるという作用効果を奏する。
【図面の簡単な説明】
【図１】本発明の実施の形態１におけるデジタル放送の視聴システムの構成図
【図２】本発明の実施の形態１におけるデジタル放送の視聴システムの制御プログラムのフロー図
【図３】本発明の実施の形態１における自動表示メッセージのデータ構造図
【図４】同データ構造図
【図５】本発明の実施の形態２におけるデジタル放送の視聴システムの制御プログラムのフロー図
【図６】本発明の実施の形態２におけるメールのデータ構造図
【図７】本発明の実施の形態３におけるデジタル放送の視聴システムの構成図
【符号の説明】
１  ＢＳデジタル用チューナ
２  ＢＳデジタル用復調器
３，２３  第１ＭＰＥＧ処理機能部
４，９  ＩＥＥＥ１３９４インタフェース
５，２４  Ｂ−ＣＡＳインタフェース
６，２５  Ｂ−ＣＡＳカード
７，２６  マイコン
８  ＩＥＥＥ１３９４バス
１０  第２ＭＰＥＧ処理機能部
１１  デコーダ機能ブロック
１２  出力ブロック
１５，２７  受信アダプタ
１６  映像表示装置
２０  地上波デジタル用チューナ
２１  地上波デジタル用復調器
【図１】
2005020358.tif 000003
【図２】
2005020358.tif 000004
【図３】
2005020358.tif 000005
【図４】
2005020358.tif 000006
【図５】
2005020358.tif 000007
【図６】
2005020358.tif 000008
【図７】
2005020358.tif 000009